(57)【要約】【課題】円柱状の積層信号灯に被せて使用する光センサ装置を提供する。【解決手段】円柱状で異なる色を発光する複数の表示器が積層された積層信号灯に用いる光センサ装置であって、積層信号灯を軸方向に覆う円筒形状で且つ周壁部が透明材料で形成されたケーシングと、光センサを有しケーシングの周壁部内面で軸方向に着設された板状センサユニットと、を備えるとともに、板状センサユニットの内壁面は、光センサがケーシングの中心軸方向に向かって設けられ、しかも、表示器の外周面と密接する。【選択図】図１
2019035684.tif 000002
【特許請求の範囲】
【請求項１】
円柱状で異なる色を発光する複数の表示器が積層された積層信号灯に用いる光センサ装置であって、前記積層信号灯を軸方向に覆う円筒形状で且つ周壁部が透明材料で形成されたケーシングと、光センサを有し前記ケーシングの周壁部内面で軸方向に着設された板状センサユニットと、を備えるとともに、前記板状センサユニットの内壁面は、前記光センサが前記ケーシングの中心軸方向に向かって設けられ、しかも、前記表示器の外周面と密接することを特徴とする光センサ装置。
【請求項２】
請求項１記載の光センサ装置において、前記板状センサユニットの光センサは複数設けられとともに、前記複数の表示器の積層された間隔で軸方向に埋設されていることを特徴とする光センサ装置。
【請求項３】
請求項１又は２記載の光センサ装置において、前記ケーシングの周壁部内面に、支持部材が前記板状センサユニットと対向する位置に突出して設けられていることを特徴とする光センサ装置。
【請求項４】
請求項３記載の光センサ装置において、前記支持部材は、前記ケーシングの周壁部を貫通するネジであることを特徴とする光センサ装置。
【発明の詳細な説明】
【技術分野】
【０００１】
この発明は、積層信号灯に用いる光センサ装置に関する。
【背景技術】
【０００２】
従来、設備機器の稼働状況を一目で認識できるように配置された積層信号灯は、その円柱状の上部より外周面から径方向に３６０度全方向の外側に光を放射するようになっている。そして、それぞれが異なった色を発光する表示器を軸方向に積層配置されて構成されており、その点灯・点滅する色によって設備の稼働状態を視認できるようになっている。また、上記のように作業員が設備機器を表示器の色によって視認すると目的と別に、それぞれの表示器の色に対応した設備機器の稼働状況を示す電気信号を、その複数の表示器を駆動する電気回路の信号を分岐して、電気信号として取り出しその制御情報を無線又は有線で情報収集装置に取り込み蓄積するものもあった。
【先行技術文献】
【特許文献】
【０００３】
【特許文献１】特開２００２−３３０２２９号
【発明の概要】
【発明が解決しようとする課題】
【０００４】
本発明が解決しようとする課題は、既製の設備機器や積層信号灯の制御回路に変更付加することなく、積層信号灯の光信号を検出する光センサ装置を提供することを目的としている。
【課題を解決するための手段】
【０００５】
前記目的に沿う第一の発明に係る光センサ装置は、円柱状で異なる色を発光する複数の表示器が積層された積層信号灯に用いる光センサ装置であって、積層信号灯を軸方向に覆う円筒形状で且つ周壁部が透明材料で形成されたケーシングと、光センサを有しケーシングの周壁部内面で軸方向に着設された板状センサユニットと、を備えるとともに、板状センサユニットの内壁面は、光センサがケーシングの中心軸方向に向かって設けられ、しかも、表示器の外周面と密接する。
【０００６】
その結果、設備機器の稼働状況を表わしている積層信号灯の表示器の点灯、点滅、消灯の状態を、その設備機器の制御信号でなく、積層信号灯の表示器の光信号で検出することで、設備機器や積層信号灯に電気的に接続する必要がなく、そして、ケーシングが透明であるために積層信号灯の視認性を損なわず、その設備機器の稼働状態を電気信号として検出することができる。また、既存の積層信号灯に、後付けで簡便に設置することができる。
【０００７】
前記目的に沿う第二の発明に係る光センサ装置は、板状センサユニットの光センサは複数設けられとともに、複数の表示器の積層された間隔で軸方向に埋設されている。
【０００８】
その結果、積層信号灯に設けられた複数の表示器をそれぞれの光センサで検出することができるので、より多くの表示器に与えられた稼働状況の情報を電気信号として検出することができる。
【０００９】
前記目的に沿う第三の発明に係る光センサ装置は、ケーシングの周壁部内面に、支持部材が板状センサユニットと対向する位置に突出して設けられている。
【００１０】
その結果、支持部材が表示器の外周面と接するので、対向する位置にある板状センサユニットの内壁面と表示器の外周面の密着性をあげて、外部光によるノイズを軽減でき光センサとしての検出信号の信頼性を向上できる。
【００１１】
前記目的に沿う第四の発明に係る光センサ装置は、支持部材は、ケーシングの周壁部を貫通するネジである。
【００１２】
その結果、支持部材が内周面側に突出する長さを調整できるので、対向する位置にある板状センサユニットの内壁面と表示器の外周面の距離に応じて調整でき密着性をあげて、外部光によるノイズを軽減でき光センサの信頼性を向上できる。
【発明の効果】
【００１３】
第一から第四の発明に係る光センサ装置においては、設備機器の稼働状態を示す積層信号灯に後付けで設置して、その光信号を電気信号として検出することができるようになる。
【図面の簡単な説明】
【００１４】
【図１】本発明の一実施の形態である光センサ装置の斜視説明図である。
【図２】同光センサ装置の底面からの説明図である。
【図３】同光センサ装置を積層信号灯に被せた状態を示す説明図である。
【図４】同光センサ装置の板状センサユニットの説明図である。
【発明を実施するための形態】
【００１５】
本発明の実施例を図１〜図４に示す図に基づいて説明する。
図１に示すように、本発明の一実施の形態にかかる光センサ装置１０は、ＡＢＳ樹脂の円筒形状で内部に制御部を収める上ケーシング１１に、透明のポリカーボネイト製の円筒形状の下ケーシング１２とが軸方向に積層されて載置されている。そして、下ケーシング１２の内周面にその中心軸方向光を検出する板状センサユニット１３が軸方向に設けられている。そして、板状センサユニット１３に光センサ２１、２２、２３、２４は軸方向に所定間隔で埋設されている。さらに、下ケーシング１２の内周面側で且つ板状センサユニット１３と対向して、２つの支持部材１４、１５が、周方向に互いに下ケーシング１２と等間隔程度（１２０度）で、下ケーシング１２の軸の中心方向に突出して設けられている。この支持部１４、１５は、径がφ数ミリのドーム形状であり、その突出した部分の高さは、帯センサユニット１３の厚さと略同一であり、光センサ装置１０を積層信号灯３０（図３に示す）に装着した場合、積層信号灯３０の外周面に接するように設けられ、光センサ装置１０を積層信号灯３０に固定している。また、上ケーシング１１と下ケーシング１２は、一体化されてケーシングを形成してもよく、少なくても積層信号灯３０の表示器３１、３２、３３、３４（図３に示す）を覆っているケーシング部分が、透明であれば表示器３１、３２、３３、３４の視認性を損なわないのでよい。
【００１６】
このように、積層信号灯３０のそれぞれの表示器３１、３２、３３、３４の外周面から全周方向に発せられた光を、板状センサユニット１３がそれぞれの表示器の外周面で直接に接して、それぞれの表示器の点灯状況を表す光を受けることにより、設備機器の稼働状況を示している積層信号灯３０の信号として検出できる。その結果、設備機器や積層信号灯３０の制御部を改造することなく外付けで設備機器の稼働状態を電気信号として取り出すことができる。さらに、板状センサユニット１３に設けられた光センサ２１、２２、２３、２４は、表示器の光の有無を検出するものであるが、光の色彩も検出するセンサでもよい。
【００１７】
次に、本発明の一実施の形態にかかる光センサ装置１０の底面からの説明図の詳細について、図２を用いて説明する。図２に示すように、光センサ装置１０の下ケーシング１２の内周面に板状センサユニット１３の長手方向が下ケーシング１２の内周面に接するように接着され軸方向に沿って設けられている。板状センサユニット１３に対向する下ケーシング１２の内周面に支持部材１４、１５が突出して設けられている。また、板状センサユニット１３と支持部材１４、１５とは、周方向に略１２０度の間隔程度で設けられている。また、支持部材の数や互いの間隔は、任意であり、積層信号灯３０に被せたセンサ装置１０とが、ガタつかない程度で板状センサユニット１３と密着する程度に固定されればよい。さらに、支持部材１４、１５は、下ケーシング１２の中心軸方向に向かって周壁部を貫通し高さ調整が可能なように、ネジでケーシングの周壁部を貫通して取り付けられても良い。
【００１８】
あと、本発明の一実施の形態にかかる光センサ装置１０を積層信号灯３０に被せた状態（装着状態）を示す説明図について、図３を用いて説明する。ここでは、積層信号灯３０にセンサ装置１０が取り付けられた状態を示している。ここでは積層信号灯３０の上部に上から順に青色、赤色、黄色、緑色と４つの表示器３１、３２、３３、３４が積層して設けられている。たとえば、表示器３２の赤色の点灯が停止、赤色の点滅が部品切れ、表示器３３の黄色の点灯が手動運転中、黄色の点滅が始業点検等のように、それぞれの表示灯の色や点灯が設備機器の稼働運転状態を示している。そして、たとえば青色の表示器３１の外周面の中央部に接する板状センサユニット１３に設けられた光センサ２１（図１に示す）が、表示器３１の点灯、点滅、消灯状態を検出する。そして、板状センサユニット１３で検出された出力信号は、接続された制御部１６に送られて９２０ＭＨｚ帯の無線を使用して、受信機（図示せず）に送られて設備機器の稼働状態のデータとして蓄積され処理される。このように、下ケーシング１３が透明なので、積層信号灯３０の点灯状態も邪魔されることなく確認することができ、なお且つ、その稼働状況の信号も設備機器等の改造することなく抽出することができる。
【００１９】
さらに、本発明の一実施の形態にかかる板状センサユニット１３の詳細について、図４を用いて説明する。図に示すように、板状センサユニット１３の内側で、積層信号灯３０の外周面と接する内壁面２０には、それぞれの光センサ２１、２２、２３、２４が所定間隔（対応する表示器３１、３２、３３、３４のそれぞれの軸方向の中心部近傍）で４つ取り付けられている。そして、光センサ２１、２２、２３、２４の感知面は、内壁面２０と面一もしくは０．１ｍｍ以上数ミリ未満奥まって設けられている。そのように表示器の外周面に密着されて取り付けることで、表示器以外からの外来光のノイズの影響を軽減することが可能となる。また、すべての光センサ２１、２２、２３、２４は制御部１６と電気的に接続されている。
【００２０】
以上、本発明の実施例を説明したが、本発明はこの実施例に限定されるものではなく、要旨を逸脱しない範囲での設計変更などがあっても本発明に含まれる。
【産業上の利用可能性】
【００２１】
本発明は主として、積層信号灯に用いる光センサ装置に関するものである。
【符号の説明】
【００２２】
１０：光センサ装置、１１：上ケーシング、１２：下ケーシング、１３：板状センサユニット、１４：支持部材、１５：支持部材、１６：制御部、２０：内壁面、２１：光センサ、２２：光センサ、２３：光センサ、２４：光センサ、３０：積層信号灯、３１：表示器、３２：表示器、３３：表示器、３４：表示器
【図１】
2019035684.tif 000003
【図２】
2019035684.tif 000004
【図３】
2019035684.tif 000005
【図４】
2019035684.tif 000006